(57)【要約】【課題】  この発明は、積み重ねた食器類を入れる為の食器篭であって、食器類の外周部を案内して、これを安定保持すると共に、前記食器類を側方から手で持てるように、出し入れを容易にすることを目的としたものである。【解決手段】  この発明は、耐熱性合成樹脂製であって、積み重ねた食器類の単列収容部又は複列収容部を設けた篭において、前記収容部の対向する側壁に夫々手を入れることのできる縦隙間を設けると共に、前記収容部の内部へ食器類の対向する両側を保持する平面弧状の仕切板を設置したことを特徴とする食器篭によりこの発明の目的を達成した。【選択図】      図１
2005206176.tif 000002
【特許請求の範囲】
【請求項１】
耐熱性合成樹脂製であって、積み重ねた食器類の単列収容部又は複列収容部を設けた篭において、前記収容部の対向する側壁に夫々手を入れることのできる縦隙間を設けると共に、前記収容部の内部へ食器類の対向する両側を保持する平面弧状の仕切板を設置したことを特徴とする食器篭。
【請求項２】
仕切板は着脱自在としたことを特徴とする請求項１記載の食器篭。
【請求項３】
仕切板には、食器等の押え蓋の掛止突起を設けたことを特徴とする請求項１記載の食器篭。
【請求項４】
掛止突起は、仕切板の縦壁へ上下複数段に出入可能に設けたことを特徴とする請求項３記載の食器篭。
【請求項５】
耐熱性合成樹脂製であって、積み重ねた食器類の単列収容部又は複列収容部を設けた篭において、前記収容部へ積み重ねた食器の食器ホルダーを出入自在に嵌挿したことを特徴とする食器篭。
【請求項６】
耐熱性合成樹脂製であって、積み重ねた食器類の単列収容部又は複列収容部を設けた篭において、前記収容部の対向する側壁に夫々手を入れることのできる縦隙間を設けると共に、前記収容部へ、積み重ねた食器の食器ホルダーを出入自在に嵌挿したことを特徴とする食器篭。
【請求項７】
食器ホルダーは、筒状枠の上部に提手を設け、下部内周へ食器の鍔部下面と自動掛止できる弾性掛止片を設けたことを特徴とする請求項５又は６記載の食器篭。
【発明の詳細な説明】
【技術分野】
【０００１】
この発明は、多数の食器類を重ね合わせて収容し、運搬用、消毒用、その他に使用することを目的とした食器篭に関する。
【背景技術】
【０００２】
従来食器篭は金属網篭が多用されており、近来耐熱性合成樹脂の成型篭も採用されている。
【０００３】
前記従来の食器篭は平面矩形の直方体状をしており、専ら運搬用に使用されていた。
【特許文献１】特許第２９９２１４６号
【特許文献２】特開２００３−３１２６６６
【発明の開示】
【発明が解決しようとする課題】
【０００４】
前記従来の食器篭は、積み上げた食器類を水平方向移動に関して前後壁で押えると左右壁では押えられない問題点があった。
【０００５】
また上部には押え蓋がないと篭が倒れた時に内容食器が飛び出す恐れがあった。
【０００６】
また篭内に手が入らないので、テーブルなどに積み上げた食器類をそのまま持ち上げて篭内に入れることが難しい問題点があった。
【０００７】
更には食器篭が倒れた際に、食器類が飛び出して散乱する恐れがあった。
【課題を解決するための手段】
【０００８】
然るにこの発明は、篭の収容部の対向側壁に、手の入る隙間を設けると共に、食器を支える弧状部を有する仕切板を設けることにより、又は食器ホルダーを用いることにより前記従来の問題点を解決したのである。
【０００９】
即ちこの発明は、耐熱性合成樹脂製であって、積み重ねた食器類の単列収容部又は複列収容部を設けた篭において、前記収容部の対向する側壁に夫々手を入れることのできる縦隙間を設けると共に、前記収容部の内部へ食器類の対向する両側を保持する平面弧状の仕切板を設置したことを特徴とする食器篭であり、仕切板は着脱自在としたものである。
【００１０】
また他の発明は、仕切板には、食器等の押え蓋の掛止突起を設けたものであり、掛止突起は、仕切板の縦壁へ上下複数段に出入可能に設けたものである。
【００１１】
前記において、仕切板の弧状部は食器類の外縁部を支えることができるようにしたものである。
【００１２】
前記仕切板を着脱自在にし、必要に応じて取り換えることができるようにすれば、食器の大小（外縁形状の相違）毎に、これにフィットする形状を選定することができるので、食器等を確実に支持することができる。従って篭の運搬中、又は横転した場合などの衝撃が小さく、破損を防止することができる。
【００１３】
仕切板の挿脱構造は多種多様である。例えば、釘止めは簡単であるが、労力を要し、案内溝に沿って挿脱する方法は簡単であるが、案内板自体の安定保持とその解除に工夫を要する。
【００１４】
また他の発明は、耐熱性合成樹脂製であって、積み重ねた食器類の単列収容部又は複列収容部を設けた篭において、前記収容部へ積み重ねた食器の食器ホルダーを出入自在に嵌挿したことを特徴とする食器篭であり、耐熱性合成樹脂製であって、積み重ねた食器類の単列収容部又は複列収容部を設けた篭において、前記収容部の対向する側壁に夫々手を入れることのできる縦隙間を設けると共に、前記収容部へ、積み重ねた食器の食器ホルダーを出入自在に嵌挿したことを特徴とする食器篭であり、食器ホルダーは、筒状枠の上部に提手を設け、下部内周へ食器の鍔部下面と自動掛止できる弾性掛止片を設けたものである。
【発明の効果】
【００１５】
この発明によれば、篭内へ食器縁部を案内する為の平面弧状部を有する仕切板を設け、又は食器ホルダーを設けるので、食器を安定保持できると共に、篭を倒した場合でも食器等が飛び出すおそれはない。
【００１６】
また仕切板を変えることによって、直径の異なる食器でもその外縁部に沿って案内し、支持できるし、食器ホルダーを用いた場合には、積み重ねたまま取り扱いできる効果がある。
【００１７】
また押え蓋を設けた場合には、篭が横転した場合であっても食器類が飛び出したり、破損するおそれはない。
【発明を実施するための最良の形態】
【００１８】
平面矩形の耐熱ＡＢＳ樹脂（アクリルニトリルモノマー（Ａ）とブタジエン（Ｂ）とスチレンモノマー（Ｓ）との共重合成樹脂）により形成した篭体の前後長側壁に、手を入れる為の隙間を２箇所宛対向縦設し、前記隙間の縦縁に、食器の外縁を案内する平面弧状部を有する仕切板を対向設置する。前記隙間１つに対し、前記仕切板は２枚向き合わせて、食器類を挟んで保定する。
【００１９】
前記仕切板は、前記篭体と一体成形でもよいが、収容食器の外径が異なる場合には、前記仕切板は挿脱自在とし、食器の外径に合せて、仕切板を取り換えることが好ましい。次に食器ホルダーを使用する場合には、仕切板は不必要となり、積み重ねたまま取り扱うことができる。
【実施例１】
【００２０】
この発明の実施例を図１、２について説明する。
【００２１】
平面矩形の耐熱性合成樹脂により成形した篭体１の前後の長側壁２、２に、手を入れるための隙間３、３を対向して縦設し、該隙間３、３の縦縁に食器４の縁を案内する平面弧状部５ａ、５ａを有する仕切板５、５を対向設置して、ねじ６、６により固定したものである。
【００２２】
前記仕切板５、５の平面部５ｂ、５ｂには、押え蓋７の両側部と掛止する掛止突起８、８を出入可能に設けて、この発明の食器篭１０を構成した。図中９は使途その他の表示平面である。
【００２３】
前記仕切板５、５は、篭体１へねじ６、６で固定したが、これを一体成形することを妨げない。また仕切板５、５を取付け自在にすれば平面弧状部５ａ、５ａの大きさ、形状の異なる毎に、直径の異なる食器類を同一篭体１内へ収容できるので、篭体１を同一型で多量生産し、仕切板５、５の寸法、形状を変えて多種類の食器を収容する食器の篭とすることができる。
【００２４】
前記掛止突起８、８は、縦断面台形であって、仕切板５、５の平面部５ｂ、５ｂの透孔１１の上辺へ溝を介して連設されている。従って図２中（ｂ）のように押え蓋７を矢示１２のように下降させると、押え蓋７の側縁７ａが、掛止突起８の斜面に当接した状態で下降するので、掛止突起８は矢示１３のようにその基部８ａを中心として回動し、透孔１１内へ引込む。そこで押え蓋７がＢ位置に下降すると、掛止突起８は弾力により旧形状に復帰し、その掛止縁８ｂが押え蓋７の上側縁７ｂと掛止するので、食器篭１０が横転して、押え蓋７に矢示１４の方向へ力が働いても、外れるおそれがなく、従って食器も正しい位置で保持される。
【００２５】
前記において、押え蓋７を外す場合には、押え蓋７の指孔７ｃに指を入れ、矢示１４の方向へ引き上げると、押え蓋７が図２（ｃ）のように凸弧状に湾曲し、押え蓋７の上側縁７ｂが掛止突起８の掛止縁８ｂから外れるので、押え蓋７を容易に取り外すことができる。
【実施例２】
【００２６】
この発明の他の実施例を図３、４に基づいて説明する。平面矩形の耐熱性合成樹脂により成形した篭体１の前後の長側壁２、２に、手を入れるための隙間３、３を対向して縦設し、該隙間３、３の縦縁に食器４の縁を案内する平面弧状部５ａ、５ａを有する仕切板５、５を篭体１の側壁に縦設した案内溝１５に挿脱自在に挿入し、前記仕切板５、５の挿入壁に設けた突起１６と、前記案内溝１５に設けた凹部１７とを掛止させて、仕切板５を固定する。図中８は掛止突起、９は表示平面である。
【００２７】
前記実施例においては、仕切板５、５を案内溝１５に挿脱自在とし、仕切板５、５と案内溝１５とは、突起１６と凹部１７の嵌合により掛止したが、要は仕切板５、５が意に反して外れなければよいことになる。従って、仕切板用の止め栓（仕切板と、篭体とに共通する栓）を用いることもできる。
【００２８】
前記実施例は、仕切板５、５を取り替えることにより、寸法の異なる食器を安定保持できるようにしたが、長側壁２、２と、仕切板５、５とを一体に形成した仕切枠２６を篭体１の底枠に固定しても、前記と同様に、寸法の異なる食器を同一篭体１内へ安定して収容することができる。
【００２９】
前記仕切枠２６の固定については、嵌合方式、ねじ止め方式又は嵌合とねじ止め方式を兼ねる場合とあるが、適宜採用することができる。例えば、仕切枠２６を篭体１の底板の突片２７へボルトなどで固定する。
【００３０】
前記篭体１と、押え蓋７との関係は実施例１と同一に付き説明を省略する。
【実施例３】
【００３１】
この発明の他の実施例を図６、７に基づいて説明する。積み重ねた食器４の外側へ嵌装できる大きさの筒状枠１８の下部内側の複数箇所へ等間隔に積み重ねた食器の最下部の食器４の外周部４ａの下面と掛止できる合成樹脂製の弾性掛止片１９、１９の基部１９ａを本体下部枠へ固定し、前記弾性係止片１９を下部から内側へ向けて斜に突設し、前記筒状枠１８の上部へ、提手２１、２１を設けて、この発明の食器ホルダー２０を構成した。前記筒状枠１８は金属線製である。
【００３２】
前記弾性掛止片１９、１９は、図７（ｂ）のように、筒状枠１８を下降させる際は、弾性掛止片１９、１９が食器４の外周部４ａの周縁４ｂに押されて、筒状枠１８の内壁側へおされて通過するが、前記弾性掛止片１９、１９が食器の周縁４ｂを通過すると、弾性掛止片１９、１９は自動的に旧位置に復帰する。そこで提手２１、２１を持ち上げると、前記筒状枠１８の弾性掛止片１９、１９が食器４の外周部下面と掛止し、ストッパー１９ｂで掛止する為に、積み重ねた食器全部を持ち上げ、そのまま篭体１の食器収容部へ挿入すれば、食器４を食器篭１０へセットすることができる。
【００３３】
前記実施例は、金属線よりなる筒状枠１８に合成樹脂製の弾性掛止片１９を固定した。図８は、合成樹脂製の筒状枠２２の下部の環状枠２３の内側へ、先端が上になる弾性掛止片２４、２４を等間隔に設けたホルダー２５である。
【００３４】
このホルダー２５は一体成型できるので、弾性掛止片２４を別製する必要なく、製造上の合理化ができる。この場合に弾性掛止片２４は食器と掛止し、過度に変形するおそれはない。
【００３５】
前記実施例によれば、積み重ねた食器をそのまま取り扱うことができるので、取扱いが簡単容易となる。前記食器ホルダーを積み上げた食器から外すには、弾性掛止片を筒状枠側へ押し付ければよいが、その手段は色々あり、限定はない。またホルダーから食器を１枚宛取り出すこともできる。
【図面の簡単な説明】
【００３６】
【図１】この発明の実施例の斜視図。
【図２】（ａ）同じく押え蓋の平面図、（ｂ）同じく押え蓋を嵌める際の説明図、（ｃ）同じく押え蓋を外す際の説明図。
【図３】同じく他の実施例の斜視図。
【図４】（ａ）同じく平面図、（ｂ）同じく仕切枠の斜視図。
【図５】（ａ）同じく仕切板の固定を示す拡大断面図、（ｂ）同じく押え板の掛止を示す説明図、（ｃ）同じく押え板と掛止突起の掛脱を示す図。
【図６】この発明の食器ホルダーの実施例の斜視図。
【図７】（ａ）同じく食器ホルダーの平面図、（ｂ）同じく食器とホルダーの掛止前の状態を示す説明図、（ｃ）同じく食器ホルダーの掛止直前の説明図、（ｄ）同じく食器ホルダーの掛止状態を示す説明図。
【図８】同じくホルダーを合成樹脂製とした場合の一部を省略した一部断面斜視図。
【符号の説明】
【００３７】
１  篭体
２  長側壁
３  隙間
４  食器
５  仕切板
６  ねじ
７  押え蓋
８  掛止突起
９  表示平面
１０  食器篭
１１  透孔
【図１】
2005206176.tif 000003
【図２】
2005206176.tif 000004
【図３】
2005206176.tif 000005
【図４】
2005206176.tif 000006
【図５】
2005206176.tif 000007
【図６】
2005206176.tif 000008
【図７】
2005206176.tif 000009
【図８】
2005206176.tif 000010